(57)【要約】【課題】位置情報を利用してセキュリティを確保したり、他の装置から位置情報の取得が不要で効率的な管理が可能な情報処理装置、データ管理システム、方法およびプログラムを得る。【解決手段】受信時現在位置判別手段１３０３は、たとえばデータ受信手段１３０２がデータを受信する時点で現在位置判別手段１３０１によって現在の位置を判別し記録する。読出時現在位置判別手段１３０６は、データを格納したファイルの読み出しが指示されたとき同様に現在の位置を判別し、記憶しておいた位置との差が許容距離範囲であればこれを許可することでセキュリティを確保する。位置情報を用いて無線を用いた効率的なデータ転送も行う。【選択図】図３
2013114364.tif 000002
【特許請求の範囲】
【請求項１】
位置情報を登録する位置情報登録手段と、
自装置の現在位置を判別する現在位置判別手段と、
ファイルの読み出しあるいは書き込みの指示があったとき前記現在位置判別手段を用いて自装置の現在位置を取得する現在位置取得手段と、
この現在位置取得手段の取得した現在位置が前記位置情報登録手段に登録されている位置情報と予め定めた許容距離範囲で一致するかを判別する位置一致有無判別手段と、
この位置一致有無判別手段が一致すると判別したとき前記ファイルの読み出しあるいは書き込みの指示を有効として指示に応じた処理を実行する指示内容実行手段
とを具備することを特徴とする情報処理装置。
【請求項２】
特定の無線アクセスポイントの位置と一致する位置情報を登録する位置情報登録手段と、
自装置の現在位置を判別する現在位置判別手段と、
ファイルの転送の指示があったとき前記現在位置判別手段を用いて自装置の現在位置を取得する現在位置取得手段と、
この現在位置取得手段の取得した現在位置が前記位置情報登録手段に登録されている位置情報と予め定めた許容距離範囲で一致するかを判別する位置一致有無判別手段と、
この位置一致有無判別手段が一致すると判別したとき前記特定の無線アクセスポイントを用いて前記ファイルの転送の指示があったファイルを無線で転送する無線送信手段
とを具備することを特徴とする情報処理装置。
【請求項３】
自装置の現在位置を判別する現在位置判別手段と、
所定の装置からデータを受信するデータ受信手段と、
このデータ受信手段がデータを受信する時点で前記現在位置判別手段によって現在の位置を判別する受信時現在位置判別手段と、
この受信時現在位置判別手段によって判別した受信時における現在位置を前記データ受信手段によって受信したデータを収容するファイルのヘッダに記録する現在位置ファイル記録手段と、
この現在位置ファイル記録手段によって現在位置を記録したファイルを格納するファイル格納手段と、
このファイル格納手段に格納したファイルのいずれかについて読み出しの指示があったとき前記現在位置判別手段によって現在の位置を判別する読出時現在位置判別手段と、
この読出時現在位置判別手段によって判別した読出時における現在位置と読み出しの指示のあったファイルのヘッダに記録している受信時における現在位置が予め定めた許容距離範囲で一致するかを判別する位置一致有無判別手段と、
この位置一致有無判別手段で位置が一致すると判別したときのみ前記ファイルの読み出しを許可するファイル読出許可手段
とを具備することを特徴とする情報処理装置。
【請求項４】
自装置の現在位置を判別する現在位置判別手段と、
所定のデータを収容するファイルを自装置内に格納するファイル格納手段と、
このファイル格納手段に格納したファイルのいずれかを指定して自装置以外の他の場所に転送する指示があったとき前記現在位置判別手段によって現在位置を判別する転送時現在位置判別手段と、
前記ファイル格納手段に格納したファイルを前記他の場所に転送する際の無線中継の候補となる無線アクセスポイントのそれぞれの存在する位置を格納した無線アクセスポイント位置情報テーブルと、
この無線アクセスポイント位置情報テーブルに格納された無線アクセスポイントのそれぞれの位置と前記転送時現在位置判別手段の判別した現在位置を比較して、これらの距離が前記現在位置から無線による通信可能な予め定めた範囲内にある無線アクセスポイントを抽出する無線アクセスポイント抽出手段と、
この無線アクセスポイント抽出手段によって抽出した無線アクセスポイントのいずれかを用いて前記転送する指示があったファイルを無線で転送する無線送信手段
とを具備することを特徴とする情報処理装置。
【請求項５】
データを格納した所定の装置と、
自装置の現在位置を判別する現在位置判別手段と、前記所定の装置からデータを受信するデータ受信手段と、このデータ受信手段がデータを受信する時点で前記現在位置判別手段によって現在の位置を判別する受信時現在位置判別手段と、この受信時現在位置判別手段によって判別した受信時における現在位置を前記データ受信手段によって受信したデータを収容するファイルのヘッダに記録する現在位置ファイル記録手段と、この現在位置ファイル記録手段によって現在位置を記録したファイルを格納するファイル格納手段と、このファイル格納手段に格納したファイルのいずれかについて読み出しの指示があったとき前記現在位置判別手段によって現在の位置を判別する読出時現在位置判別手段と、この読出時現在位置判別手段によって判別した読出時における現在位置と読み出しの指示のあったファイルのヘッダに記録している受信時における現在位置が予め定めた許容距離範囲で一致するかを判別する位置一致有無判別手段と、この位置一致有無判別手段で位置が一致すると判別したときのみ前記ファイルの読み出しを許可するファイル読出許可手段とを備えた情報処理装置
とを具備することを特徴とするデータ管理システム。
【請求項６】
データを格納した所定の装置と、
自装置の現在位置を判別する現在位置判別手段と、所定のデータを収容するファイルを自装置内に格納するファイル格納手段と、このファイル格納手段に格納したファイルのいずれかを指定して自装置以外の他の場所に転送する指示があったとき前記現在位置判別手段によって現在位置を判別する転送時現在位置判別手段と、前記ファイル格納手段に格納したファイルを前記他の場所に転送する際の無線中継の候補となる無線アクセスポイントのそれぞれの存在する位置を格納した無線アクセスポイント位置情報テーブルと、この無線アクセスポイント位置情報テーブルに格納された無線アクセスポイントのそれぞれの位置と前記転送時現在位置判別手段の判別した現在位置を比較して、これらの距離が前記現在位置から無線による通信可能な予め定めた範囲内にある無線アクセスポイントを抽出する無線アクセスポイント抽出手段と、この無線アクセスポイント抽出手段によって抽出した無線アクセスポイントのいずれかを用いて前記転送する指示があったファイルを無線で転送する無線送信手段と、前記所定の装置からデータを受信するデータ受信手段と、このデータ受信手段がデータを受信する時点で前記現在位置判別手段によって現在の位置を判別する受信時現在位置判別手段と、この受信時現在位置判別手段によって判別した受信時における現在位置を前記データ受信手段によって受信したデータを収容するファイルのヘッダに記録する現在位置ファイル記録手段とを備え、前記ファイル格納手段は前記現在位置ファイル記録手段の記録したファイルを格納するようにした情報処理装置
とを具備することを特徴とするデータ管理システム。
【請求項７】
所定の装置からデータを受信するデータ受信ステップと、
このデータ受信ステップでデータを受信する時点で自装置の現在位置を判別する現在位置判別ステップと、
この受信時現在位置判別ステップによって判別した受信時における現在位置を前記データ受信ステップによって受信したデータを収容するファイルのヘッダに記録する現在位置ファイル記録ステップと、
この現在位置ファイル記録ステップによって現在位置を記録したファイルを所定のファイル格納手段に格納するファイル格納ステップと、
このファイル格納ステップで格納したファイルのいずれかについて読み出しの指示があったときの現在の位置を判別する読出時現在位置判別ステップと、
この読出時現在位置判別ステップによって判別した読出時における現在位置と読み出しの指示のあったファイルのヘッダに記録している受信時における現在位置が予め定めた許容距離範囲で一致するかを判別する位置一致有無判別ステップと、
この位置一致有無判別ステップで位置が一致すると判別したときのみ前記ファイルの読み出しを許可するファイル読出許可ステップ
とを具備することを特徴とするデータ管理方法。
【請求項８】
所定のデータを収容するファイルを自装置内に格納するファイル格納手段に格納したファイルのいずれかを指定して自装置以外の他の場所に転送する指示があったとき現在位置を判別する転送時現在位置判別ステップと、
前記ファイル格納手段に格納したファイルを前記他の場所に転送する際の無線中継の候補となる無線アクセスポイントのそれぞれの存在する位置を格納した無線アクセスポイント位置情報テーブルに格納された無線アクセスポイントのそれぞれの位置と前記転送時現在位置判別ステップで判別した現在位置を比較する比較ステップと、
この比較ステップで比較した結果として無線アクセスポイントと現在位置の距離が前記現在位置から無線による通信可能な予め定めた範囲内にある無線アクセスポイントを抽出する無線アクセスポイント抽出ステップと、
この無線アクセスポイント抽出ステップによって抽出した無線アクセスポイントのいずれかを用いて前記転送する指示があったファイルを無線で転送する無線送信ステップ
とを具備することを特徴とするデータ管理方法。
【請求項９】
コンピュータに、
所定の装置からデータを受信するデータ受信処理と、
このデータ受信処理でデータを受信する時点で自装置の現在位置を判別する現在位置判別処理と、
この受信時現在位置判別処理によって判別した受信時における現在位置を前記データ受信処理によって受信したデータを収容するファイルのヘッダに記録する現在位置ファイル記録処理と、
この現在位置ファイル記録処理によって現在位置を記録したファイルを所定のファイル格納手段に格納するファイル格納処理と、
このファイル格納処理で格納したファイルのいずれかについて読み出しの指示があったときの現在の位置を判別する読出時現在位置判別処理と、
この読出時現在位置判別処理によって判別した読出時における現在位置と読み出しの指示のあったファイルのヘッダに記録している受信時における現在位置が予め定めた許容距離範囲で一致するかを判別する位置一致有無判別処理と、
この位置一致有無判別処理で位置が一致すると判別したときのみ前記ファイルの読み出しを許可するファイル読出許可処理
とを実行させることを特徴とするデータ管理プログラム。
【請求項１０】
コンピュータに、
所定のデータを収容するファイルを自装置内に格納するファイル格納手段に格納したファイルのいずれかを指定して自装置以外の他の場所に転送する指示があったとき現在位置を判別する転送時現在位置判別処理と、
前記ファイル格納手段に格納したファイルを前記他の場所に転送する際の無線中継の候補となる無線アクセスポイントのそれぞれの存在する位置を格納した無線アクセスポイント位置情報テーブルに格納された無線アクセスポイントのそれぞれの位置と前記転送時現在位置判別処理で判別した現在位置を比較する比較処理と、
この比較処理で比較した結果として無線アクセスポイントと現在位置の距離が前記現在位置から無線による通信可能な予め定めた範囲内にある無線アクセスポイントを抽出する無線アクセスポイント抽出処理と、
この無線アクセスポイント抽出処理によって抽出した無線アクセスポイントのいずれかを用いて前記転送する指示があったファイルを無線で転送する無線送信処理
とを実行させることを特徴とするデータ管理プログラム。
【発明の詳細な説明】
【技術分野】
【０００１】
本発明は、情報処理装置、データ管理システム、データ管理方法およびプログラムに関する。本発明は、一般的なデータの他に、たとえばデジタルカメラ等の撮影装置で撮像することによって得られた静止画や動画等の画像ファイルの管理を好適に行うことができる情報処理装置、データ管理システム、データ管理方法およびプログラムに関する。
【背景技術】
【０００２】
撮影装置では各種の画像を撮影すると共に、撮影した画像ごとに撮影した月日等の時計情報を記録することが従来から一般的に行われている。これにより、画像ごとに時計情報を参照することで、たとえば自分の子供が何歳のときの運動会の画像であるとか、どこに旅行したときの写真であるといったことを知ることができる。
【０００３】
最近では、ＧＰＳ（Global Positioning System）が携帯電話機を初めとして各種の装置に採用されてきている。ＧＰＳを採用すると、その装置の現在の位置情報を確認することができる。ＧＰＳを採用した撮影装置として、本発明に関連する第１の関連技術が存在している（たとえば特許文献１の第２実施の形態参照）。
【０００４】
この第１の関連技術では、撮影装置としての画像入力装置にＧＰＳ受信機が内蔵されている。このため、第１の関連技術では、画像入力装置を情報処理装置に格納するとき、内蔵されたＧＰＳ受信機から撮影時の位置情報を受け取って画像データの保存箇所に一緒に格納することができる。ここで情報処理装置は、大容量記憶装置やこのような記憶装置を備えたパーソナルコンピュータあるいはスマートフォンをはじめとする携帯電話機のような装置であり、撮影装置の撮影した画像を取り込んでその内部に格納したり、更に他の装置にデータを転送するために使用される装置である。
【０００５】
このように情報処理装置内で画像ごとに位置情報を格納するようにすると、これら位置情報をキーとして画像ごとに格納場所を選択して管理することができる。この結果、たとえば撮影装置としてのデジタルカメラをパーソナルコンピュータに接続して画像を取り込んだような場合には、ある観光地で撮影した画像をその観光地用に予め用意したフォルダに格納するというように、画像ごとの管理をスムーズに進行させることが可能になる。
【０００６】
第１の関連技術では撮影装置としての画像入力装置にＧＰＳ受信機が内蔵されているので、位置情報を用いた画像ファイルの管理が可能である。デジタルカメラに限定してみると、カメラ自体にＧＰＳ受信機を内蔵させている機種は一部に限られる。多くの機種では撮影装置側にＧＰＳ受信機を内蔵していない。このため、ＧＰＳ受信機を内蔵していない撮影装置では、位置情報を画像の管理に使用することができない。
【０００７】
そこで、撮影の対象となる個人端末から位置情報を得て、これを撮影装置から得られる画像データと共に情報処理装置に一緒に格納することが、前記した特許文献１に第１実施の形態として開示されている。この第１実施の形態として開示された第２の関連技術によれば、撮影装置がＧＰＳ受信機を内蔵していなくても、情報処理装置側が個人端末から位置情報を受信する受信部を備えており、位置情報の取得が可能である。
【先行技術文献】
【特許文献】
【０００８】
【特許文献１】特開２００２−３４４８６７号公報（第００３５段落、第００６４段落、図１、図７）
【発明の概要】
【発明が解決しようとする課題】
【０００９】
以上説明した第１の関連技術および第２の関連技術によれば、情報処理装置が画像データと関連付けて位置情報を取得するためには、撮影装置自体や撮影のときに使用した通信相手のいずれかが位置情報を取得する機能を備えていなければならない。また、情報処理装置側が撮影装置だけでなく関連する個人端末や基地局から位置情報を取得する機能を実現するためには、各種の装置から位置情報を取得するための特別の受信装置を必要とする。しかも、情報処理装置側に用意する受信装置は、撮影に関連しない周囲の個人端末から送られてくる位置情報を無関係な情報として遮断する必要があり、そのための仕組みが煩雑となるいう問題もあった。
【００１０】
以上、撮影装置から画像ファイル等の画像データを取り込む（受信する）場合を説明したが、一般のデータあるいはファイルを受信する情報処理装置についても、位置情報との関係で同様の問題がある。
【００１１】
そこで本発明の目的は、他の装置から位置情報の取得が不要で効率的な管理が可能な情報処理装置、データ管理システム、データ管理方法およびプログラムを提供することにある。
【００１２】
また本発明の目的は、位置情報を利用してそのセキュリティを確保することができるようにした情報処理装置、データ管理システム、データ管理方法およびプログラムを提供することにある。
【課題を解決するための手段】
【００１３】
本発明では、（イ）位置情報を登録する位置情報登録手段と、（ロ）自装置の現在位置を判別する現在位置判別手段と、（ハ）ファイルの読み出しあるいは書き込みの指示があったとき前記した現在位置判別手段を用いて自装置の現在位置を取得する現在位置取得手段と、（ニ）この現在位置取得手段の取得した現在位置が前記した位置情報登録手段に登録されている位置情報と予め定めた許容距離範囲で一致するかを判別する位置一致有無判別手段と、（ホ）この位置一致有無判別手段が一致すると判別したとき前記したファイルの読み出しあるいは書き込みの指示を有効として指示に応じた処理を実行する指示内容実行手段とを情報処理装置が具備する。
【００１４】
また、本発明では、（イ）特定の無線アクセスポイントの位置と一致する位置情報を登録する位置情報登録手段と、（ロ）自装置の現在位置を判別する現在位置判別手段と、（ハ）ファイルの転送の指示があったとき前記した現在位置判別手段を用いて自装置の現在位置を取得する現在位置取得手段と、（ニ）この現在位置取得手段の取得した現在位置が前記した位置情報登録手段に登録されている位置情報と予め定めた許容距離範囲で一致するかを判別する位置一致有無判別手段と、（ホこの位置一致有無判別手段が一致すると判別したとき前記した特定の無線アクセスポイントを用いて前記したファイルの転送の指示があったファイルを無線で転送する無線送信手段とを情報処理装置が具備する。
【００１５】
更に本発明では、（イ）自装置の現在位置を判別する現在位置判別手段と、（ロ）所定の装置からデータを受信するデータ受信手段と、（ハ）このデータ受信手段がデータを受信する時点で前記した現在位置判別手段によって現在の位置を判別する受信時現在位置判別手段と、（ニ）この受信時現在位置判別手段によって判別した受信時における現在位置を前記したデータ受信手段によって受信したデータを収容するファイルのヘッダに記録する現在位置ファイル記録手段と、（ホ）この現在位置ファイル記録手段によって現在位置を記録したファイルを格納するファイル格納手段と、（へ）このファイル格納手段に格納したファイルのいずれかについて読み出しの指示があったとき前記した現在位置判別手段によって現在の位置を判別する読出時現在位置判別手段と、（ト）この読出時現在位置判別手段によって判別した読出時における現在位置と読み出しの指示のあったファイルのヘッダに記録している受信時における現在位置が予め定めた許容距離範囲で一致するかを判別する位置一致有無判別手段と、（チ）この位置一致有無判別手段で位置が一致すると判別したときのみ前記したファイルの読み出しを許可するファイル読出許可手段とを情報処理装置が具備する。
【００１６】
更にまた、本発明では、（イ）自装置の現在位置を判別する現在位置判別手段と、（ロ）所定のデータを収容するファイルを自装置内に格納するファイル格納手段と、（ハ）このファイル格納手段に格納したファイルのいずれかを指定して自装置以外の他の場所に転送する指示があったとき前記した現在位置判別手段によって現在位置を判別する転送時現在位置判別手段と、（ニ）前記したファイル格納手段に格納したファイルを前記した他の場所に転送する際の無線中継の候補となる無線アクセスポイントのそれぞれの存在する位置を格納した無線アクセスポイント位置情報テーブルと、（ホ）この無線アクセスポイント位置情報テーブルに格納された無線アクセスポイントのそれぞれの位置と前記した転送時現在位置判別手段の判別した現在位置を比較して、これらの距離が前記した現在位置から無線による通信可能な予め定めた範囲内にある無線アクセスポイントを抽出する無線アクセスポイント抽出手段と、（へ）この無線アクセスポイント抽出手段によって抽出した無線アクセスポイントのいずれかを用いて前記した転送する指示があったファイルを無線で転送する無線送信手段とを情報処理装置が具備する。
【００１７】
また本発明では、（イ）データを格納した所定の装置と、（ロ）自装置の現在位置を判別する現在位置判別手段と、前記した所定の装置からデータを受信するデータ受信手段と、このデータ受信手段がデータを受信する時点で前記した現在位置判別手段によって現在の位置を判別する受信時現在位置判別手段と、この受信時現在位置判別手段によって判別した受信時における現在位置を前記したデータ受信手段によって受信したデータを収容するファイルのヘッダに記録する現在位置ファイル記録手段と、この現在位置ファイル記録手段によって現在位置を記録したファイルを格納するファイル格納手段と、このファイル格納手段に格納したファイルのいずれかについて読み出しの指示があったとき前記した現在位置判別手段によって現在の位置を判別する読出時現在位置判別手段と、この読出時現在位置判別手段によって判別した読出時における現在位置と読み出しの指示のあったファイルのヘッダに記録している受信時における現在位置が予め定めた許容距離範囲で一致するかを判別する位置一致有無判別手段と、この位置一致有無判別手段で位置が一致すると判別したときのみ前記したファイルの読み出しを許可するファイル読出許可手段とを備えた情報処理装置とをデータ管理システムが具備する。
【００１８】
更に本発明では、（イ）データを格納した所定の装置と、（ロ）自装置の現在位置を判別する現在位置判別手段と、所定のデータを収容するファイルを自装置内に格納するファイル格納手段と、このファイル格納手段に格納したファイルのいずれかを指定して自装置以外の他の場所に転送する指示があったとき前記した現在位置判別手段によって現在位置を判別する転送時現在位置判別手段と、前記したファイル格納手段に格納したファイルを前記した他の場所に転送する際の無線中継の候補となる無線アクセスポイントのそれぞれの存在する位置を格納した無線アクセスポイント位置情報テーブルと、この無線アクセスポイント位置情報テーブルに格納された無線アクセスポイントのそれぞれの位置と前記した転送時現在位置判別手段の判別した現在位置を比較して、これらの距離が前記した現在位置から無線による通信可能な予め定めた範囲内にある無線アクセスポイントを抽出する無線アクセスポイント抽出手段と、この無線アクセスポイント抽出手段によって抽出した無線アクセスポイントのいずれかを用いて前記した転送する指示があったファイルを無線で転送する無線送信手段と、前記した所定の装置からデータを受信するデータ受信手段と、このデータ受信手段がデータを受信する時点で前記した現在位置判別手段によって現在の位置を判別する受信時現在位置判別手段と、この受信時現在位置判別手段によって判別した受信時における現在位置を前記したデータ受信手段によって受信したデータを収容するファイルのヘッダに記録する現在位置ファイル記録手段とを備え、前記したファイル格納手段は前記した現在位置ファイル記録手段の記録したファイルを格納するようにした情報処理装置とをデータ管理システムが具備する。
【００１９】
また、本発明では、（イ）所定の装置からデータを受信するデータ受信ステップと、（ロ）このデータ受信ステップでデータを受信する時点で自装置の現在位置を判別する現在位置判別ステップと、（ハ）この受信時現在位置判別ステップによって判別した受信時における現在位置を前記したデータ受信ステップによって受信したデータを収容するファイルのヘッダに記録する現在位置ファイル記録ステップと、（ニ）この現在位置ファイル記録ステップによって現在位置を記録したファイルを所定のファイル格納手段に格納するファイル格納ステップと、（ホ）このファイル格納ステップで格納したファイルのいずれかについて読み出しの指示があったときの現在の位置を判別する読出時現在位置判別ステップと、（へ）この読出時現在位置判別ステップによって判別した読出時における現在位置と読み出しの指示のあったファイルのヘッダに記録している受信時における現在位置が予め定めた許容距離範囲で一致するかを判別する位置一致有無判別ステップと、（ト）この位置一致有無判別ステップで位置が一致すると判別したときのみ前記したファイルの読み出しを許可するファイル読出許可ステップとをデータ管理方法が具備する。
【００２０】
更に本発明では、（イ）所定のデータを収容するファイルを自装置内に格納するファイル格納手段に格納したファイルのいずれかを指定して自装置以外の他の場所に転送する指示があったとき現在位置を判別する転送時現在位置判別ステップと、（ロ）前記したファイル格納手段に格納したファイルを前記した他の場所に転送する際の無線中継の候補となる無線アクセスポイントのそれぞれの存在する位置を格納した無線アクセスポイント位置情報テーブルに格納された無線アクセスポイントのそれぞれの位置と前記した転送時現在位置判別ステップで判別した現在位置を比較する比較ステップと、（ハ）この比較ステップで比較した結果として無線アクセスポイントと現在位置の距離が前記した現在位置から無線による通信可能な予め定めた範囲内にある無線アクセスポイントを抽出する無線アクセスポイント抽出ステップと、（ニ）この無線アクセスポイント抽出ステップによって抽出した無線アクセスポイントのいずれかを用いて前記した転送する指示があったファイルを無線で転送する無線送信ステップとをデータ管理方法が具備する。
【００２１】
更にまた、本発明では、コンピュータに、データ管理プログラムとして、（イ）所定の装置からデータを受信するデータ受信処理と、（ロ）このデータ受信処理でデータを受信する時点で自装置の現在位置を判別する現在位置判別処理と、（ハ）この受信時現在位置判別処理によって判別した受信時における現在位置を前記したデータ受信処理によって受信したデータを収容するファイルのヘッダに記録する現在位置ファイル記録処理と、（ニ）この現在位置ファイル記録処理によって現在位置を記録したファイルを所定のファイル格納手段に格納するファイル格納処理と、（ホ）このファイル格納処理で格納したファイルのいずれかについて読み出しの指示があったときの現在の位置を判別する読出時現在位置判別処理と、（へ）この読出時現在位置判別処理によって判別した読出時における現在位置と読み出しの指示のあったファイルのヘッダに記録している受信時における現在位置が予め定めた許容距離範囲で一致するかを判別する位置一致有無判別処理と、（ト）この位置一致有無判別処理で位置が一致すると判別したときのみ前記したファイルの読み出しを許可するファイル読出許可処理とを実行させる。
【００２２】
また、本発明では、コンピュータに、データ管理プログラムとして、（イ）所定のデータを収容するファイルを自装置内に格納するファイル格納手段に格納したファイルのいずれかを指定して自装置以外の他の場所に転送する指示があったとき現在位置を判別する転送時現在位置判別処理と、（ロ）前記したファイル格納手段に格納したファイルを前記した他の場所に転送する際の無線中継の候補となる無線アクセスポイントのそれぞれの存在する位置を格納した無線アクセスポイント位置情報テーブルに格納された無線アクセスポイントのそれぞれの位置と前記した転送時現在位置判別処理で判別した現在位置を比較する比較処理と、（ハ）この比較処理で比較した結果として無線アクセスポイントと現在位置の距離が前記した現在位置から無線による通信可能な予め定めた範囲内にある無線アクセスポイントを抽出する無線アクセスポイント抽出処理と、（ニ）この無線アクセスポイント抽出処理によって抽出した無線アクセスポイントのいずれかを用いて前記した転送する指示があったファイルを無線で転送する無線送信処理とを実行させる。
【発明の効果】
【００２３】
以上説明したように本発明によれば、情報処理装置を紛失してもその内部に格納しているファイルのヘッダに記録している位置と予め定めた許容距離範囲で一致する位置でしかそのファイルを読み出すことができない。したがって、ファイルに対する特別のアクセス制限を設けなくても情報処理装置が紛失した場合のセキュリティ対策を採ることができる。
【００２４】
また、本発明によれば無線アクセスポイントを使用してファイルを他の場所に転送する際に無線アクセスポイント位置情報テーブルから最適な無線アクセスポイントを選択して接続処理を開始することができる。このため、適切な無線アクセスポイントを迅速に選択してファイルの転送を行うことができる。また、ファイルの転送によって情報処理装置側のメモリの容量不足を解消することができる。
【図面の簡単な説明】
【００２５】
【図１】本発明の情報処理装置のクレーム対応図である。
【図２】本発明の他の情報処理装置のクレーム対応図である。
【図３】本発明の更に他の情報処理装置のクレーム対応図である。
【図４】本発明の更にまた他の情報処理装置のクレーム対応図である。
【図５】本発明のデータ管理システムのクレーム対応図である。
【図６】本発明の他のデータ管理システムのクレーム対応図である。
【図７】本発明のデータ管理方法のクレーム対応図である。
【図８】本発明の他のデータ管理方法のクレーム対応図である。
【図９】本発明のデータ管理プログラムのクレーム対応図である。
【図１０】本発明の他のデータ管理プログラムのクレーム対応図である。
【図１１】本発明の実施の形態によるデータ管理システムの構成を表わしたシステム構成図である。
【図１２】本実施の形態の情報処理装置の概要を表わしたブロック図である。
【図１３】本実施の形態の情報処理装置が撮影装置から画像ファイルを取り込む処理とこれに伴う処理の様子を表わした流れ図である。
【図１４】本実施の形態で切り替え先が「画像転送オン」の場合における情報処理装置の画像ファイル転送処理の様子を表わした流れ図である。
【図１５】本実施の形態で情報処理装置に一度格納した画像ファイルを元の撮影装置に戻す場合の処理の様子を表わした流れ図である。
【図１６】情報処理装置に図１１で説明した以外の装置としての電子装置が接続された変形例におけるデータ管理システムの構成を表わしたシステム構成図である。
【図１７】本発明の変形例における情報処理装置の構成の概要を表わしたブロック図である。
【図１８】この変形例における電子装置に対する情報処理装置のファイルの読出制御の様子を表わした流れ図である。
【発明を実施するための形態】
【００２６】
図１は、本発明の情報処理装置のクレーム対応図を示したものである。本発明の情報処理装置１１００は、位置情報を登録する位置情報登録手段１１０１と、現在位置判別手段１１０２と、現在位置取得手段１１０３と、位置一致有無判別手段１１０４と、指示内容実行手段１１０５を備えている。ここで、位置情報登録手段１１０１は、位置情報を登録する。現在位置判別手段１１０２は、自装置の現在位置を判別する。現在位置取得手段１１０３は、ファイルの読み出しあるいは書き込みの指示があったとき現在位置判別手段１１０２を用いて自装置の現在位置を取得する。位置一致有無判別手段１１０４は、現在位置取得手段１１０３の取得した現在位置が位置情報登録手段１１０１に登録されている位置情報と予め定めた許容距離範囲で一致するかを判別する。指示内容実行手段１１０５は、位置一致有無判別手段１１０４が一致すると判別したとき前記したファイルの読み出しあるいは書き込みの指示を有効として指示に応じた処理を実行する。
【００２７】
図２は、本発明の他の情報処理装置のクレーム対応図を示したものである。本発明の他の情報処理装置１２００は、位置情報登録手段１２０１と、現在位置判別手段１２０２と、現在位置取得手段１２０３と、位置一致有無判別手段１２０４と、無線送信手段１２０５を備えている。ここで、位置情報登録手段１２０１は、特定の無線アクセスポイントの位置と一致する位置情報を登録する。現在位置判別手段１２０２は、自装置の現在位置を判別する。現在位置取得手段１２０３は、ファイルの転送の指示があったとき現在位置判別手段１２０２を用いて自装置の現在位置を取得する。位置一致有無判別手段１２０４は、現在位置取得手段１２０３の取得した現在位置が位置情報登録手段１２０１に登録されている位置情報と予め定めた許容距離範囲で一致するかを判別する。無線送信手段１２０５は、位置一致有無判別手段１２０４が一致すると判別したとき前記した特定の無線アクセスポイントを用いて前記したファイルの転送の指示があったファイルを無線で転送する。
【００２８】
図３は、本発明の更に他の情報処理装置のクレーム対応図を示したものである。本発明の情報処理装置１３００は、現在位置判別手段１３０１と、データ受信手段１３０２と、受信時現在位置判別手段１３０３と、現在位置ファイル記録手段１３０４と、ファイル格納手段１３０５と、読出時現在位置判別手段１３０６と、位置一致有無判別手段１３０７と、ファイル読出許可手段１３０８を備えている。ここで、現在位置判別手段１３０１は、自装置の現在位置を判別する。データ受信手段１３０２は、所定の装置からデータを受信する。受信時現在位置判別手段１３０３は、データ受信手段１３０２がデータを受信する時点で前記した現在位置判別手段１３０１によって現在の位置を判別する。現在位置ファイル記録手段１３０４は、受信時現在位置判別手段１３０３によって判別した受信時における現在位置をデータ受信手段１３０２によって受信したデータを収容するファイルのヘッダに記録する。ファイル格納手段１３０５は、現在位置ファイル記録手段１３０４によって現在位置を記録したファイルを格納する。読出時現在位置判別手段１３０６は、ファイル格納手段１３０５に格納したファイルのいずれかについて読み出しの指示があったとき現在位置判別手段１３０１によって現在の位置を判別する。位置一致有無判別手段１３０７は、読出時現在位置判別手段１３０６によって判別した読出時における現在位置と読み出しの指示のあったファイルのヘッダに記録している受信時における現在位置が予め定めた許容距離範囲で一致するかを判別する。ファイル読出許可手段１３０８は、位置一致有無判別手段１７で位置が一致すると判別したときのみ前記したファイルの読み出しを許可する。
【００２９】
図４は、本発明の更にまた他の情報処理装置のクレーム対応図を示したものである。本発明の他の情報処理装置１４００は、現在位置判別手段１４０１と、ファイル格納手段１４０２と、転送時現在位置判別手段１４０３と、無線アクセスポイント位置情報テーブル１４０４と、無線アクセスポイント抽出手段１４０５と、無線送信手段１４０６を備えている。ここで、現在位置判別手段１４０１は、自装置の現在位置を判別する。ファイル格納手段１４０２は、所定のデータを収容するファイルを自装置内に格納する。転送時現在位置判別手段１４０３は、ファイル格納手段１４０２に格納したファイルのいずれかを指定して自装置以外の他の場所に転送する指示があったとき現在位置判別手段１４０１によって現在位置を判別する。無線アクセスポイント位置情報テーブル１４０４は、ファイル格納手段１４０２に格納したファイルを前記した他の場所に転送する際の無線中継の候補となる無線アクセスポイントのそれぞれの存在する位置を格納したものである。無線アクセスポイント抽出手段１４０５は、無線アクセスポイント位置情報テーブル１４０４に格納された無線アクセスポイントのそれぞれの位置と転送時現在位置判別手段１４０３の判別した現在位置を比較して、これらの距離が前記した現在位置から無線による通信可能な予め定めた範囲内にある無線アクセスポイントを抽出する。無線送信手段１４０６は、無線アクセスポイント抽出手段１４０５によって抽出した無線アクセスポイントのいずれかを用いて前記した転送する指示があったファイルを無線で転送する。
【００３０】
図５は、本発明のデータ管理システムのクレーム対応図を示したものである。本発明のデータ管理システム１５００は、所定の装置１５０１と、情報処理装置１５０２を備えている。ここで、所定の装置１５０１はデータを格納した装置である。情報処理装置１５０２は、現在位置判別手段１５０２ａと、データ受信手段１５０２ｂと、受信時現在位置判別手段１５０２ｃと、現在位置ファイル記録手段１５０２ｄと、ファイル格納手段１５０２ｅと、読出時現在位置判別手段１５０２ｆと、位置一致有無判別手段１５０２ｇと、ファイル読出許可手段１５０２ｈを備えている。現在位置判別手段１５０２ａは、自装置の現在位置を判別する。データ受信手段１５０２ｂは、前記した所定の装置からデータを受信する。受信時現在位置判別手段１５０２ｃは、データ受信手段１５０２ｂがデータを受信する時点で現在位置判別手段１５０２ａによって現在の位置を判別する。現在位置ファイル記録手段１５０２ｄは、受信時現在位置判別手段１５０２ｃによって判別した受信時における現在位置をデータ受信手段１５０２ｂによって受信したデータを収容するファイルのヘッダに記録する。ファイル格納手段１５０２ｅは、現在位置ファイル記録手段１５０２ｄによって現在位置を記録したファイルを格納する。読出時現在位置判別手段１５０２ｆは、ファイル格納手段１５０２ｅに格納したファイルのいずれかについて読み出しの指示があったとき現在位置判別手段１５０２ａによって現在の位置を判別する。位置一致有無判別手段１５０２ｇは、読出時現在位置判別手段１５０２ｆによって判別した読出時における現在位置と読み出しの指示のあったファイルのヘッダに記録している受信時における現在位置が予め定めた許容距離範囲で一致するかを判別する。ファイル読出許可手段１５０２ｈは、位置一致有無判別手段１５０２ｇで位置が一致すると判別したときのみ前記したファイルの読み出しを許可する。
【００３１】
図６は、本発明の他のデータ管理システムのクレーム対応図を示したものである。本発明の他のデータ管理システム１６００は、所定の装置１６０１と情報処理装置１６０２を備えている。ここで、所定の装置１６０１はデータを格納した装置である。情報処理装置１６０２は、現在位置判別手段１６０２ａと、ファイル格納手段１６０２ｂと、転送時現在位置判別手段１６０２ｃと、無線アクセスポイント位置情報テーブル１６０２ｄと、無線アクセスポイント抽出手段１６０２ｅと、無線送信手段１６０２ｆと、データ受信手段１６０２ｇと、受信時現在位置判別手段１６０２ｈと、現在位置ファイル記録手段１６０２ｉを備えている。ここで現在位置判別手段１６０２ａは自装置の現在位置を判別する。ファイル格納手段１６０２ｂは、所定のデータを収容するファイルを自装置内に格納する。転送時現在位置判別手段１６０２ｃは、ファイル格納手段１６０２ｂに格納したファイルのいずれかを指定して自装置以外の他の場所に転送する指示があったとき現在位置判別手段１６０２ａによって現在位置を判別する。無線アクセスポイント位置情報テーブル１６０２ｄは、ファイル格納手段１６０２ｂに格納したファイルを前記した他の場所に転送する際の無線中継の候補となる無線アクセスポイントのそれぞれの存在する位置を格納したものである。無線アクセスポイント抽出手段１６０２ｅは、無線アクセスポイント位置情報テーブル１６０２ｄに格納された無線アクセスポイントのそれぞれの位置と転送時現在位置判別手段１６０２ｃの判別した現在位置を比較して、これらの距離が前記した現在位置から無線による通信可能な予め定めた範囲内にある無線アクセスポイントを抽出する。無線送信手段１６０２ｆは、無線アクセスポイント抽出手段１６０２ｅによって抽出した無線アクセスポイントのいずれかを用いて前記した転送する指示があったファイルを無線で転送する。データ受信手段１６０２ｇは、所定の装置１６０１からデータを受信する。受信時現在位置判別手段１６０２ｈは、データ受信手段１６０２ｇがデータを受信する時点で現在位置判別手段１６０２ａによって現在の位置を判別する。現在位置ファイル記録手段１６０２ｉは、受信時現在位置判別手段１６０２ｈによって判別した受信時における現在位置をデータ受信手段１６０２ｇによって受信したデータを収容するファイルのヘッダに記録する。ファイル格納手段１６０２ｂは現在位置ファイル記録手段１６０２ｊの記録したファイルを格納するようにしている。
【００３２】
図７は、本発明のデータ管理方法のクレーム対応図を示したものである。本発明のデータ管理方法１７００は、データ受信ステップ１７０１と、現在位置判別ステップ１７０２と、現在位置ファイル記録ステップ１７０３と、ファイル格納ステップ１７０４と、読出時現在位置判別ステップ１７０５と、位置一致有無判別ステップ１７０６と、ファイル読出許可ステップ１７０７を備えている。ここで、データ受信ステップ１７０１では、所定の装置からデータを受信する。現在位置判別ステップ１７０２では、データ受信ステップ１７０１でデータを受信する時点で自装置の現在位置を判別する。現在位置ファイル記録ステップ１７０３では、受信時現在位置判別ステップ１７０２によって判別した受信時における現在位置をデータ受信ステップ１７０１によって受信したデータを収容するファイルのヘッダに記録する。ファイル格納ステップ１７０４では、現在位置ファイル記録ステップ１７０３によって現在位置を記録したファイルを所定のファイル格納手段に格納する。読出時現在位置判別ステップ１７０５では、ファイル格納ステップ１７０４で格納したファイルのいずれかについて読み出しの指示があったときの現在の位置を判別する。位置一致有無判別ステップ１７０６では、読出時現在位置判別ステップ１７０５によって判別した読出時における現在位置と読み出しの指示のあったファイルのヘッダに記録している受信時における現在位置が予め定めた許容距離範囲で一致するかを判別する。ファイル読出許可ステップ１７０７では、位置一致有無判別ステップ１７０６で位置が一致すると判別したときのみ前記したファイルの読み出しを許可する。
【００３３】
図８は、本発明の他のデータ管理方法のクレーム対応図を示したものである。本発明の他のデータ管理方法１８００は、転送時現在位置判別ステップ１８０１と、比較ステップ１８０２と、無線アクセスポイント抽出ステップ１８０３と、無線送信ステップ１８０４を備えている。ここで、転送時現在位置判別ステップ１８０１では、所定のデータを収容するファイルを自装置内に格納するファイル格納手段に格納したファイルのいずれかを指定して自装置以外の他の場所に転送する指示があったとき現在位置を判別する。比較ステップ１８０２では、前記したファイル格納手段に格納したファイルを前記した他の場所に転送する際の無線中継の候補となる無線アクセスポイントのそれぞれの存在する位置を格納した無線アクセスポイント位置情報テーブルに格納された無線アクセスポイントのそれぞれの位置と転送時現在位置判別ステップ１８０１で判別した現在位置を比較する。無線アクセスポイント抽出ステップ１８０３では、比較ステップ１８０２で比較した結果として無線アクセスポイントと現在位置の距離が前記した現在位置から無線による通信可能な予め定めた範囲内にある無線アクセスポイントを抽出する。無線送信ステップ１８０４では、無線アクセスポイント抽出ステップ１８０３によって抽出した無線アクセスポイントのいずれかを用いて前記した転送する指示があったファイルを無線で転送する。
【００３４】
図９は、本発明のデータ管理プログラムのクレーム対応図を示したものである。本発明のデータ管理プログラム１９００は、コンピュータに、データ受信処理１９０１と、現在位置判別処理１９０２と、現在位置ファイル記録処理１９０３と、ファイル格納処理１９０４と、読出時現在位置判別処理１９０５と、位置一致有無判別処理１９０６と、ファイル読出許可処理１９０７を実行させるようにしている。ここで、データ受信処理１９０１では、所定の装置からデータを受信する。現在位置判別処理１９０２では、データ受信処理１９０１でデータを受信する時点で自装置の現在位置を判別する。現在位置ファイル記録処理１９０３では、受信時現在位置判別処理１９０２によって判別した受信時における現在位置をデータ受信処理１９０１によって受信したデータを収容するファイルのヘッダに記録する。ファイル格納処理１９０４では、現在位置ファイル記録処理１９０３によって現在位置を記録したファイルを所定のファイル格納手段に格納する。読出時現在位置判別処理１９０５では、ファイル格納処理１９０４で格納したファイルのいずれかについて読み出しの指示があったときの現在の位置を判別する。位置一致有無判別処理１９０６では、読出時現在位置判別処理１９０５によって判別した読出時における現在位置と読み出しの指示のあったファイルのヘッダに記録している受信時における現在位置が予め定めた許容距離範囲で一致するかを判別する。ファイル読出許可処理１９０７では、位置一致有無判別処理１９０６で位置が一致すると判別したときのみ前記したファイルの読み出しを許可する。
【００３５】
図１０は、本発明の他のデータ管理プログラムのクレーム対応図を示したものである。本発明の他のデータ管理プログラム２０００は、コンピュータに、転送時現在位置判別処理２００１と、比較処理２００２と、無線アクセスポイント抽出処理２００３と、無線送信処理２００４を実行させるようにしている。ここで、転送時現在位置判別処理２００１では、所定のデータを収容するファイルを自装置内に格納するファイル格納手段に格納したファイルのいずれかを指定して自装置以外の他の場所に転送する指示があったとき現在位置を判別する。比較処理２００２では、前記したファイル格納手段に格納したファイルを前記した他の場所に転送する際の無線中継の候補となる無線アクセスポイントのそれぞれの存在する位置を格納した無線アクセスポイント位置情報テーブルに格納された無線アクセスポイントのそれぞれの位置と転送時現在位置判別処理００１で判別した現在位置を比較する。無線アクセスポイント抽出処理２００３では、比較処理２００２で比較した結果として無線アクセスポイントと現在位置の距離が前記した現在位置から無線による通信可能な予め定めた範囲内にある無線アクセスポイントを抽出する。無線送信処理２００４では、無線アクセスポイント抽出処理２００３によって抽出した無線アクセスポイントのいずれかを用いて前記した転送する指示があったファイルを無線で転送する。
【００３６】
＜発明の実施の形態＞
【００３７】
次に本発明の実施の形態を説明する。
【００３８】
図１１は、本発明の実施の形態によるデータ管理システムの構成を表わしたものである。本実施の形態のデータ管理システム１００は、撮影装置１０１と、この撮影装置１０１から画像データ１０２の取り込みを行う情報処理装置１０３と、情報処理装置１０３から必要な場合に画像データの転送１０４を行う第１〜第Ｍの転送先装置１０５1〜１０５Mを備えている。第１〜第Ｍの転送先装置１０５1〜１０５Mは、インターネット等のネットワーク１０６を介して画像ファイル格納場所１０７にアクセス可能である。
【００３９】
情報処理装置１０３は自身でＧＰＳ衛星１０８から位置測定用データ１０９を受信して、現在位置の判別を行うことができるようになっている。情報処理装置１０３は位置データを算出するためにＧＰＳ衛星１０８の複数個から同時に位置測定用データ１０９を受信する必要があるが、ここでは図示を簡略化して１個のみ図示している。
【００４０】
撮影装置１０１は、デジタルカメラ、スキャナ等の撮像装置である。携帯電話機のようにその一部に撮像素子が内蔵されている装置であっても、静止画あるいは動画を撮影できる機能を持っていればよい。
【００４１】
撮影装置１０１から情報処理装置１０３への画像データ１０２の取り込みは、各種の手法で行うことができる。たとえばＵＳＢ（Universal Serial Bus）ケーブルを使用して有線で画像データ１０２の取り込みを行ってもよいし、情報処理装置１０３側にアダプタを用意して、画像データ１０２を格納したメモリカードを情報処理装置１０３側に装着するようにしてもよい。メモリカードとしては、ＳＤ（Secure Digital）カードやＣＦ（Compact Flash）カード等の各種のカードを使用可能である。
【００４２】
情報処理装置１０３から第１〜第Ｍの転送先装置１０５1〜１０５Mのいずれかへの画像データの転送１０４は、本実施の形態では無線で行う。情報処理装置１０３が一度取り込んだ画像データは、必要に応じて撮影装置１０１側に再度格納することも可能である。
【００４３】
図１２は、情報処理装置の概要を表わしたものである。情報処理装置１０３は、コントローラとしてＭＰＵ（microprocessor）１１１を備えている。ＭＰＵ１１１は、記録素子としてのメモリ１１２、方位情報を取得するための磁気センサ１１３、位置情報取得のためのＧＰＳ部１１４、無線を出力する無線部１１５および切替スイッチ１１６と接続されている。切替スイッチ１１６は、この情報処理装置１０３のユーザが、画像データをメモリ１１２内に保存するか、外部に転送するかを手動によって選択するためのスイッチである。
【００４４】
無線部１１５は、図１１に示した第１〜第Ｍの転送先装置１０５1〜１０５Mのいずれかに画像データを無線で送出する回路から構成されている。第１〜第Ｍの転送先装置１０５1〜１０５Mのいずれに画像データを転送するかは、メモリ１１２内の不揮発性メモリ領域に用意した無線接続先テーブル１１７をＭＰＵ１１１が読み出して決定する。メモリ１１２には、ＭＰＵ１１１が行う一連の制御のためのプログラムも格納されるようになっている。ＭＰＵ１１１は、図１１に示した撮影装置１０１とのインタフェースをとる機能も備えている。
【００４５】
以上説明したような情報処理装置１０３は、１枚のプリント基板上にＭＰＵ１１１等の各種の部品を実装した装置として構成することができる。メモリ１１２は、前記した、ＳＤカードやＣＦカード等の各種のカードを図示しないカード用スロットに装着することで、その容量を増大させることができる。
【００４６】
図１３は、情報処理装置が撮影装置から画像ファイルを取り込む処理とこれに伴う処理の様子を表わしたものである。図１１および図１２と共に説明する。
【００４７】
ユーザは、情報処理装置１０３に撮影装置１０１から画像ファイルを取り込むに際して、所定の準備を行う。たとえば撮影装置１０１と情報処理装置１０３の間に図示しないＵＳＢケーブルを接続したり、撮影装置１０１側に着脱自在のメモリカードが使用されており、これを介して画像ファイルの取り込みを行う場合にはそのカードを情報処理装置１０３にセットする。
【００４８】
このようにして画像ファイルの取り込みの準備が完了したら、図１３に示すようにＭＰＵ１１１は画像ファイルの受信を行う（ステップＳ２０１）。受信した画像ファイルはＭＰＵ１１１によってメモリ１１２の図示しない一時保存領域に格納される（ステップＳ２０２）。
【００４９】
以上の処理が終了すると、ＭＰＵ１１１はＧＰＳ部１１４を指示して情報処理装置１０３の現在位置を表わす位置情報を取得する（ステップＳ２０３）。取得した位置情報は、前記した一時保存領域に格納される。
【００５０】
次にＭＰＵ１１１は磁気センサ１１３を用いて地磁気を検知し、方位情報を取得する（ステップＳ２０４）。取得した方位情報は、前記した一時保存領域に格納される。なお、ステップＳ２０３の処理とステップＳ２０４の処理は、どちらが先行してもよい。
【００５１】
以上のようにして画像ファイルの取り込みと位置情報および方位情報の取得を行ったら、ＭＰＵ１１１は画像ファイルのヘッダ領域のそれぞれ定められた場所に位置情報および方位情報を格納する（ステップＳ２０５）。このとき、撮影装置１０１から取り込んだ画像ファイルのヘッダ領域に撮影装置１０１側がすでに位置情報や方位情報を格納している場合がある。このような場合には、その画像ファイルをカプセル化するように新たにその画像ファイルにヘッダ領域を追加する。そして、その追加されたヘッダ領域に情報処理装置１０３側の現在位置を基準として測定した位置情報および方位情報を格納することになる。
【００５２】
このようにして位置情報および方位情報を格納したら、ＭＰＵ１１１は切替スイッチ１１６が「メモリ記録オン」の側になっているかをチェックする（ステップＳ２０６）。切替スイッチ１１６は、取り込んだ画像ファイルをメモリ１１２内に最終的に保存するか、情報処理装置１０３以外の場所に転送するかをユーザが予め手動によって選択するスイッチである。切替スイッチ１１６の切り替え先が「メモリ記録オン」の側になっている場合には、メモリ１１２内の保存ファイル領域１１８に該当する画像ファイルが格納されることになる。切替スイッチ１１６の切り替え先が「画像転送オン」になっている場合には、第１〜第Ｍの転送先装置１０５1〜１０５Mのいずれかに画像ファイルが転送されるようになっている。
【００５３】
したがって、切替スイッチ１１６の切り替え先が「メモリ記録オン」の側になっていた場合（ステップＳ２０６：Ｙ）、ＭＰＵ１１１は該当する画像ファイルを保存ファイル領域１１８に格納して（ステップＳ２０７）、処理を終了する（エンド）。
【００５４】
一方、二者択一の切替スイッチ１１６の切り替え先が「画像転送オン」になっていた場合（ステップＳ２０６：Ｎ）、ＭＰＵ１１１は該当する画像ファイルを外部の予め定めた画像ファイル格納場所１０７に転送する処理を実行する（ステップＳ２０８）。そして、画像の取り込みとこれに伴う一連の処理を終了することになる（エンド）。ここで、画像ファイル格納場所１０７とは、たとえば勤務先の会社あるいは自宅で用意した格納場所であってもよいし、ウエブ上に予め用意した格納場所であってもよい。
【００５５】
図１４は、切り替え先が「画像転送オン」の場合における情報処理装置の画像ファイル転送処理の様子を表わしたものである。図１１および図１２と共に説明する。
【００５６】
情報処理装置１０３は、これが携帯型の装置であるような場合、現在の場所を移動させている可能性がある。そこでＭＰＵ１１１は、二者択一の切替スイッチ１１６の切り替え先が「画像転送オン」になっていた場合（図１３ステップＳ２０６：Ｎ）、ＧＰＳ部１１４を指示して情報処理装置１０３の現時点の位置情報を再度取得する（ステップＳ２２１）。これは、情報処理装置１０３の現時点の位置情報から接続可能な無線スポットを調べて、ここを経由して画像ファイルを画像ファイル格納場所１０７に転送可能にするためである。無線スポットは、無線ＬＡＮ（Local Area Network）スポットあるいは無線アクセスポイントともいう。
【００５７】
ＭＰＵ１１１は、ステップＳ２２１で取得した位置情報と無線接続先テーブル１１７に登録されている無線スポットの各接続先の位置情報を読み出して、情報処理装置１０３の現時点の位置情報との差分をそれぞれ演算する（ステップＳ２２２）。そして、これらの差分が予め定めた距離の範囲内に存在する無線スポットをすべて抽出する（ステップＳ２２３）。ここで予め定めた距離の範囲内とは、情報処理装置１０３が無線スポットの通信範囲内にあることを意味する。
【００５８】
次にＭＰＵ１１１は、ステップＳ２２３で抽出した無線スポットの数が１以上存在するかをチェックする（ステップＳ２２４）。情報処理装置１０３との通信が可能な距離範囲に無線スポットが全然存在しない場合には（Ｎ）、無線部１１５を使用して画像ファイルを情報処理装置１０３以外の場所に存在する画像ファイル格納場所１０７に送信することができない。そこで、この場合にはメモリ１１２内の保存ファイル領域１１８に格納して（ステップＳ２２５）、処理を終了する（エンド）。
【００５９】
情報処理装置１０３との通信が可能な距離範囲に無線スポットが１以上存在する場合を次に説明する。この場合（ステップＳ２２４：Ｙ）、ＭＰＵ１１１は最も距離の差分の小さな無線スポットを選択して、これを経由する形で画像ファイルの転送を実行する（ステップＳ２２６）。この転送処理が成功した場合（ステップＳ２２７：Ｙ）、ＭＰＵ１１１は「画像転送オン」における転送処理を終了する（エンド）。最も距離の差分の小さな無線スポットを選択したので、一般的には距離の差分の大きな残りの無線スポットよりも良好な通信が可能である。
【００６０】
ステップＳ２２７で該当する無線スポットを用いた画像ファイルの転送が成功しなかった場合（ステップＳ２２７：Ｎ）、ＭＰＵ１１１はステップＳ２２３で抽出された次の転送先が存在するかを判別する（ステップＳ２２８）。次に差分の小さいとされる転送先が存在すれば（Ｙ）、その転送先の無線スポットを選択して、画像ファイルの転送を試みる（ステップＳ２２９）。このようにして画像ファイルの転送に成功すれば（ステップＳ２２７：Ｙ）、ＭＰＵ１１１は「画像転送オン」における転送処理を終了する（エンド）。
【００６１】
この２回目の画像ファイルの転送処理に失敗した場合（ステップＳ２２７：Ｎ）、ＭＰＵ１１１はステップＳ２２３で抽出された次の転送先が存在するかを判別する（ステップＳ２２８）。以下同様にして画像ファイルの転送に失敗した場合にはステップＳ２２３で抽出された次の転送先が存在する間は、これらを順次選択して画像ファイルの転送を試みる。抽出された次の転送先が存在しなくなったら（ステップＳ２２８：Ｎ）、その画像ファイルをメモリ１１２内の保存ファイル領域１１８に格納して（ステップＳ２２５）、処理を終了することになる（エンド）。
【００６２】
ところで、以上説明した処理では、図１１に示す情報処理装置１０３が撮影装置１０１から画像データを取り込むと、これを他の画像ファイル格納場所１０７に転送するように制御した。そして、他の画像ファイル格納場所１０７に転送できなかったときに情報処理装置１０３自体の保存ファイル領域１１８に画像ファイルを保存することにした。
【００６３】
以上と異なり、ユーザは情報処理装置１０３の制御に関する設定を変更しておくことで、一度取り込んだ画像ファイルを所望の時点で撮影装置１０１側に戻すように処理することができる。これは、撮影装置１０１側の内蔵メモリの容量が一時的にオーバする可能性が生じたような場合に、一時的に全部または一部の画像ファイルを他の場所に移し、その後、一部の画像ファイルを撮影装置１０１側に戻す場合があるからである。
【００６４】
図１５は、情報処理装置に一度格納した画像ファイルを元の撮影装置に戻す場合の処理の様子を表わしたものである。図１１および図１２と共に説明する。
【００６５】
情報処理装置１０３のＭＰＵ１１１は、図示しない入力手段および表示手段を用いたユーザの指示によって、保存ファイル領域１１８に格納されている画像ファイルのうちから撮影装置１０１に戻すファイルの選択を行う（ステップＳ２４１）。ＭＰＵ１１１は、選択した画像ファイルを保存ファイル領域１１８から読み出して、そのヘッダ領域に情報処理装置１０３が付加した位置情報と方位情報を削除して、これをメモリ１１２の作業領域に一次保存する（ステップＳ２４２）。
【００６６】
以上の処理が終了したら、作業領域に一次保存した画像ファイルを撮影装置１０１に送信する（ステップＳ２４３）。ただし、撮影装置１０１と情報処理装置１０３が有線または無線で接続されていない状態でメモリカードによってデータの受け渡しを行う場合には、そのメモリカードに該当する画像ファイルを格納する。送信の終了した画像ファイルは、保存ファイル領域１１８から削除して（ステップＳ２４４）、送信処理を終了する（エンド）。ただし、ユーザの設定によっては送信の終了した画像ファイルを保存ファイル領域１１８にそのまま保存しておくこともできる。メモリカードによってデータの受け渡しを行う場合にも、保存ファイル領域１１８に格納しておいた画像データの対処方法を定めておくことができる。
【００６７】
以上説明したように本実施の形態では情報処理装置１０３が一度取り込んだ画像ファイルを外部の画像ファイル格納場所１０７に転送しようとするとき、接続可能な無線スポットを通信によってサーチせずに無線接続先テーブル１１７から候補の選択を行っている。したがって、サーチに要する時間を省略して情報処理装置１０３から距離的に近い無線スポットを迅速に選択することができる。また、無線接続先テーブル１１７に無線スポットごとの位置情報と共に接続のための設定条件を書き込んでおけば、その設定条件を用いて接続を開始することができる。
【００６８】
また、本実施の形態ではステップＳ２４２で情報処理装置１０３が付加した位置情報と方位情報を削除するようにした。これにより、撮影装置１０１は情報処理装置１０３が付加した情報を削除した形で画像ファイルを受け取ることができ、自装置内でのデータの互換性を確保することができる。
【００６９】
更に本実施の形態によれば、撮影装置１０１の機能に関わらず、情報処理装置１０３内で位置情報および方位情報を取得することにより、画像ファイルの撮影場所と撮影方位情報を付加して、画像ファイルを保存もしくは簡易に無線転送することが可能になる。
【００７０】
＜発明の変形の可能性＞
【００７１】
ところで、以上説明した情報処理装置１０３は、たとえば携行中に紛失する事態が発生するおそれがある。このような場合には、発見者が情報処理装置１０３内に取り込まれている画像ファイルを自分のパーソナルコンピュータ等の電子装置に取り込んで閲覧を試みる可能性がある。本発明の変形例では、このような情報の漏洩をできるだけ排除する工夫を行っている。
【００７２】
図１６は、情報処理装置に図１１で説明した以外の装置としての電子装置が接続された変形例におけるデータ管理システムの構成を表わしたものである。図１６で図１１と同一部分には同一の符号を付しており、これらの説明を適宜省略する。
【００７３】
この変形例のデータ管理システム１００Ａでは撮影後の画像管理の例を示している。情報処理装置１０３Ａには、図１１に示した実施の形態で説明した撮影装置１０１から画像データ１０２としての画像ファイルが取り込まれているものとする。電子装置３０１はこの情報処理装置１０３Ａから画像ファイルの読み出しを行うために通信ケーブル３０２で両者を接続している。通信ケーブル３０２は、一例としてはＵＳＢケーブルである。
【００７４】
この変形例の情報処理装置１０３Ａは、他の装置が画像ファイルの読み出しを行うとするたびに、ＧＰＳ衛星１０８から位置測定用データ１０９を受信して、現在位置に関する情報を取得するようになっている。情報処理装置１０３Ａが位置データを算出するためには、実施の形態のデータ管理システム１００でも説明したように、ＧＰＳ衛星１０８の複数個から同時に位置測定用データ１０９を受信する必要がある。ここでは図示を簡略化して１個のみ図示している。
【００７５】
この変形例のデータ管理システム１００Ａでは、電子装置３０１が情報処理装置１０３Ａから画像ファイルの読み出そうとするときの位置情報と、読み出す対象となる画像ファイルに書き込まれた位置情報を比較することで、セキュリティの確保を実現している。
【００７６】
図１７は、この変形例における情報処理装置の構成の概要を表わしたものである。図１７で図１２と同一部分については同一の符号を付しており、これらの説明を適宜省略する。なお、図１７では図１２に示した回路装置の一部が示されていない。これは、そのような回路装置を省略できることを意味している。図１２に示した回路装置が省略せずに付加されていてもよい。
【００７７】
情報処理装置１０３Ａは、ＭＰＵ１１１Ａと、これに接続されたメモリ１１２ＡおよびＧＰＳ部１１４が最小の構成となっている。メモリ１１２Ａは、画像ファイルを保存する保存ファイル領域１１８の他に、他の装置が画像ファイルの読み出しを行うとするときの位置情報を格納するアクセス時位置情報格納部３１１を備えている。図１２に示した無線接続先テーブル１１７は必ずしも必要としない。
【００７８】
ＭＰＵ１１１Ａは、メモリ１１２Ａの他にＧＰＳ部１１４を接続している。ＭＰＵ１１１Ａは、メモリ１１２Ａに格納された制御プログラムを実行することで、位置情報を比較する比較手段３２１と、この比較結果に応じてファイルの読み出しを禁止する読出禁止手段３２２をソフトウェア的に実現するようになっている。
【００７９】
図１８は、この変形例における電子装置に対する情報処理装置のファイルの読出制御の様子を表わしたものである。図１６および図１７と共に説明する。
【００８０】
図１６に示したように情報処理装置１０３Ａと電子装置３０１の間に有線または無線の通信路が設定されて、電子装置３０１側が情報処理装置１０３Ａに対していずれかの画像ファイルの読み出しを要求したとする（ステップＳ４０１：Ｙ）。情報処理装置１０３ＡのＭＰＵ１１１Ａはこの要求があると、ＧＰＳ部１１４に対して現在位置の取得を命じ、得られた現在位置の情報をアクセス時位置情報格納部３１１に格納する（ステップＳ４０２）。
【００８１】
続いてＭＰＵ１１１Ａは、要求のあった画像ファイルを保存ファイル領域１１８から読み出して、そのヘッダ領域に格納されている位置情報を読み出す（ステップＳ４０３）。このとき読み出される位置情報は、その画像ファイルを図１１に示す撮影装置１０１から読み出した場所の情報である。多くの場合、このような場所は情報処理装置１０３Ａのユーザの仕事場や家庭である。場合によっては、ユーザのよく利用する喫茶店の屋外テーブルや公園のベンチである場合もある。
【００８２】
以上の処理が終了すると、ＭＰＵ１１１ＡはステップＳ４０２でアクセス時位置情報格納部３１１に直前で格納した位置情報と、ステップＳ４０３で読み出したヘッダ領域の位置情報の差分を演算する（ステップＳ４０４）。ＭＰＵ１１１Ａは、この差分が予め定めた許容範囲であるかの判別を行う（ステップＳ４０５）。差分は両位置情報を同一場所の情報であると許容できる距離範囲である。情報処理装置１０３Ａのユーザはこの差分の値を自分の決めたパスワードを用いて設定し変更することができる。
【００８３】
ＭＰＵ１１１Ａは両位置情報の差分が許容範囲内であった場合（ステップＳ４０５：Ｙ）、要求された画像ファイルを要求した電子装置３０１に送信する（ステップＳ４０６）。これは、ユーザのみが撮影装置１０１から画像ファイルを読み出した場所を知ることができるので、場所が許容範囲内で一致すれば、電子装置３０１もユーザの管理する装置であると推定できるからである。
【００８４】
一方、両位置情報の差分が許容範囲内ではなかった場合（ステップＳ４０５：Ｎ）、他人の管理する電子装置３０１が情報処理装置１０３Ａから勝手に画像ファイルの読み出しを試みている可能性がある。そこで、この場合にはＭＰＵ１１１Ａがソフトウェアで実現する読出禁止手段３２２が、該当する画像ファイルの電子装置３０１に対する送信を禁止し、エラー表示を行って（ステップＳ４０７）、処理を終了する（エンド）。したがって、情報処理装置１０３Ａのユーザ以外の者は電子装置３０１を接続しても、画像データを表示したり、自装置に取り込むことはできない。
【００８５】
正当なユーザでも、撮影装置１０１から情報処理装置１０３Ａに画像ファイルを取り込んだ場所以外で電子装置３０１に画像ファイルを取り込もうとすると、これを行うことができない。しかしながら、正当なユーザは画像ファイルの元となる画像との関係や、自分の行動パターンから撮影装置１０１から画像ファイルを取り込んだ場所を推測することができる。したがって、これらの場所に再度出向くことで、電子装置３０１に対する画像ファイルの取り込みを成功させることができる。また、多くの場合、ユーザは自分の職場や家庭のように決まった場所で画像ファイルに対する処理を行う。したがって、ユーザの場合には多くの場合、特に場所を意識することなく電子装置３０１に画像ファイルを送信することができる。
【００８６】
これに対してユーザ以外の第三者がユーザの情報処理装置１０３Ａから電子装置３０１に画像ファイルを取り込もうとする場合、その第三者がユーザの職場や家屋に立ち入らない限り、画像ファイルの取り込みに成功することができない。したがって、ユーザが外出中に情報処理装置１０３Ａを紛失したような場合、第三者に対するセキュリティの確保は十分な信頼度で行うことができる。
【００８７】
画像ファイルを取り込んだ場所が覚えのない場所であっても、ユーザは前記したパスワードを覚えていれば、差分の許容値を比較的大きな値に一時的に変更することで、画像ファイルの読み出しを成功させることができる。もちろん、許容値の管理は十分注意する必要があり、ユーザによっては許容値の再度の設定を無効にすることで、セキュリティの確保を優先させることもできる。
【００８８】
以上説明した本発明の変形例によれば、情報処理装置１０３Ａが携帯電話機のように小型で紛失したり盗難に会う可能性のある装置であっても、内部に格納された画像ファイルのセキュリティを十分高めることができるという効果がある。
【００８９】
以上、実施の形態およびその変形例では、画像ファイルあるいは画像データを扱う場合を説明したが、本発明は必ずしも画像ファイルあるいは画像データに限定されるファイルあるいはデータを取り扱う必要はない。たとえば、録音装置が収録した音声ファイルあるいは音声データを音声データ取り込み装置が取り込んだり、この音声データ取り込み装置に格納されている音声ファイルあるいは音声データを情報処理装置がアクセスする際にも本発明を適用することができる。
【００９０】
もちろん、一般的なデータの作成や編集を行う装置の生成・編集したファイルあるいはデータをデータ取り込み装置が取り込んだり、このデータ取り込み装置に格納されているファイルあるいはデータを情報処理装置がアクセスする際にも本発明を適用することができる。
【００９１】
また、位置情報の取得はＧＰＳによるものに限らず、各種の技術を使用可能である。一例としては、携帯電話機の基地局ごとの位置情報や、郵便番号あるいは地域ごとに固有の固定電話機の電話番号も位置情報として使用することができる。
【００９２】
更に本発明は次のように変形することが可能である。まず、装置あるいはシステムに登録されている位置情報を、ファイルの読み出しあるいは書き込みの指示があったときの現在位置と比較して、これが予め定めた許容距離範囲で一致する場合にはファイルの読み出しあるいは書き込みを有効にするようにしてもよい。これによっても、自宅や職場等の特定の場所でのみファイルの読み出しあるいは書き込みの処理を有効とすることができるからである。
【００９３】
同様に特定の無線アクセスポイントの位置と一致する位置情報を装置あるいはシステムに登録しておき、ファイルの転送の指示があったときに該当する装置の現在位置を取得し、これらの位置が予め定めた許容距離範囲で一致する場合には、特定の無線アクセスポイントを用いて転送の指示があったファイルを無線で転送するようにしてもよい。これによっても、自宅や職場等の特定の場所でのみファイルの転送の処理を有効とすることができるからである。
【００９４】
更に本発明では、情報処理装置がメモリカードとしては、ＳＤカードやＣＦカード等の各種のカードを使用可能として説明したが、これらメモリカード自体が情報処理装置としての機能を備えていてもよい。この場合、メモリカード自体はＭＰＵや制御プログラムを格納する本来のメモリ領域を備えていることになる。
【００９５】
以上説明した実施の形態の一部または全部は、以下の付記のようにも記載されるが、以下の記載に限定されるものではない。
【００９６】
（付記１）
位置情報を登録する位置情報登録手段と、
自装置の現在位置を判別する現在位置判別手段と、
ファイルの読み出しあるいは書き込みの指示があったとき前記現在位置判別手段を用いて自装置の現在位置を取得する現在位置取得手段と、
この現在位置取得手段の取得した現在位置が前記位置情報登録手段に登録されている位置情報と予め定めた許容距離範囲で一致するかを判別する位置一致有無判別手段と、
この位置一致有無判別手段が一致すると判別したとき前記ファイルの読み出しあるいは書き込みの指示を有効として指示に応じた処理を実行する指示内容実行手段
とを具備することを特徴とする情報処理装置。
【００９７】
（付記２）
特定の無線アクセスポイントの位置と一致する位置情報を登録する位置情報登録手段と、
自装置の現在位置を判別する現在位置判別手段と、
ファイルの転送の指示があったとき前記現在位置判別手段を用いて自装置の現在位置を取得する現在位置取得手段と、
この現在位置取得手段の取得した現在位置が前記位置情報登録手段に登録されている位置情報と予め定めた許容距離範囲で一致するかを判別する位置一致有無判別手段と、
この位置一致有無判別手段が一致すると判別したとき前記特定の無線アクセスポイントを用いて前記ファイルの転送の指示があったファイルを無線で転送する無線送信手段
とを具備することを特徴とする情報処理装置。
【００９８】
（付記３）
自装置の現在位置を判別する現在位置判別手段と、
所定の装置からデータを受信するデータ受信手段と、
このデータ受信手段がデータを受信する時点で前記現在位置判別手段によって現在の位置を判別する受信時現在位置判別手段と、
この受信時現在位置判別手段によって判別した受信時における現在位置を前記データ受信手段によって受信したデータを収容するファイルのヘッダに記録する現在位置ファイル記録手段と、
この現在位置ファイル記録手段によって現在位置を記録したファイルを格納するファイル格納手段と、
このファイル格納手段に格納したファイルのいずれかについて読み出しの指示があったとき前記現在位置判別手段によって現在の位置を判別する読出時現在位置判別手段と、
この読出時現在位置判別手段によって判別した読出時における現在位置と読み出しの指示のあったファイルのヘッダに記録している受信時における現在位置が予め定めた許容距離範囲で一致するかを判別する位置一致有無判別手段と、
この位置一致有無判別手段で位置が一致すると判別したときのみ前記ファイルの読み出しを許可するファイル読出許可手段
とを具備することを特徴とする情報処理装置。
【００９９】
（付記４）
自装置の現在位置を判別する現在位置判別手段と、
所定のデータを収容するファイルを自装置内に格納するファイル格納手段と、
このファイル格納手段に格納したファイルのいずれかを指定して自装置以外の他の場所に転送する指示があったとき前記現在位置判別手段によって現在位置を判別する転送時現在位置判別手段と、
前記ファイル格納手段に格納したファイルを前記他の場所に転送する際の無線中継の候補となる無線アクセスポイントのそれぞれの存在する位置を格納した無線アクセスポイント位置情報テーブルと、
この無線アクセスポイント位置情報テーブルに格納された無線アクセスポイントのそれぞれの位置と前記転送時現在位置判別手段の判別した現在位置を比較して、これらの距離が前記現在位置から無線による通信可能な予め定めた範囲内にある無線アクセスポイントを抽出する無線アクセスポイント抽出手段と、
この無線アクセスポイント抽出手段によって抽出した無線アクセスポイントのいずれかを用いて前記転送する指示があったファイルを無線で転送する無線送信手段
とを具備することを特徴とする情報処理装置。
【０１００】
（付記５）
所定の装置からデータを受信するデータ受信手段と、
このデータ受信手段がデータを受信する時点で前記現在位置判別手段によって現在の位置を判別する受信時現在位置判別手段と、
この受信時現在位置判別手段によって判別した受信時における現在位置を前記データ受信手段によって受信したデータを収容するファイルのヘッダに記録する現在位置ファイル記録手段
とを更に具備し、前記ファイル格納手段は前記現在位置ファイル記録手段の記録したファイルを格納することを特徴とする付記４記載の情報処理装置。
【０１０１】
（付記６）
現時点の方位を測定する方位測定手段を更に具備し、前記現在位置ファイル記録手段はファイルのヘッダに現在位置と共に方位を記録することを特徴とする付記３または付記５記載の情報処理装置。
【０１０２】
（付記７）
前記所定の装置は画像の撮影を行う撮影装置であることを特徴とする付記３または付記５記載の情報処理装置。
【０１０３】
（付記８）
前記前記ファイル格納手段に格納したファイルを指定してこれを前記所定の装置に転送することを指示されたとき、そのファイルのヘッダに記録している受信時における現在位置を削除する現在位置削除手段を具備することを特徴とする付記３または付記５記載の情報処理装置。
【０１０４】
（付記９）
前記許容距離範囲の変更に対して認証を要求する認証要求手段を具備することを特徴とする付記３記載の情報処理装置。
【０１０５】
（付記１０）
データを格納した所定の装置と、
位置情報を登録する位置情報登録手段と、自装置の現在位置を判別する現在位置判別手段と、前記所定の装置からファイルの読み出しあるいは前記所定の装置に対する書き込みの指示があったとき前記現在位置判別手段を用いて自装置の現在位置を取得する現在位置取得手段と、この現在位置取得手段の取得した現在位置が前記位置情報登録手段に登録されている位置情報と予め定めた許容距離範囲で一致するかを判別する位置一致有無判別手段と、この位置一致有無判別手段が一致すると判別したとき前記ファイルの読み出しあるいは書き込みの指示を有効として指示に応じた処理を実行する指示内容実行手段とを備えた情報処理装置
とを具備することを特徴とするデータ管理システム。
【０１０６】
（付記１１）
データを格納した所定の装置と、
特定の無線アクセスポイントの位置と一致する位置情報を登録する位置情報登録手段と、自装置の現在位置を判別する現在位置判別手段と、前記所定の装置に対するファイルの転送の指示があったとき前記現在位置判別手段を用いて自装置の現在位置を取得する現在位置取得手段と、この現在位置取得手段の取得した現在位置が前記位置情報登録手段に登録されている位置情報と予め定めた許容距離範囲で一致するかを判別する位置一致有無判別手段と、この位置一致有無判別手段が一致すると判別したとき前記特定の無線アクセスポイントを用いて前記ファイルの転送の指示があったファイルを前記所定の装置に対して無線で転送する無線送信手段とを備えた情報処理装置
とを具備することを特徴とするデータ管理システム。
【０１０７】
（付記１２）
データを格納した所定の装置と、
自装置の現在位置を判別する現在位置判別手段と、前記所定の装置からデータを受信するデータ受信手段と、このデータ受信手段がデータを受信する時点で前記現在位置判別手段によって現在の位置を判別する受信時現在位置判別手段と、この受信時現在位置判別手段によって判別した受信時における現在位置を前記データ受信手段によって受信したデータを収容するファイルのヘッダに記録する現在位置ファイル記録手段と、この現在位置ファイル記録手段によって現在位置を記録したファイルを格納するファイル格納手段と、このファイル格納手段に格納したファイルのいずれかについて読み出しの指示があったとき前記現在位置判別手段によって現在の位置を判別する読出時現在位置判別手段と、この読出時現在位置判別手段によって判別した読出時における現在位置と読み出しの指示のあったファイルのヘッダに記録している受信時における現在位置が予め定めた許容距離範囲で一致するかを判別する位置一致有無判別手段と、この位置一致有無判別手段で位置が一致すると判別したときのみ前記ファイルの読み出しを許可するファイル読出許可手段とを備えた情報処理装置
とを具備することを特徴とするデータ管理システム。
【０１０８】
（付記１３）
データを格納した所定の装置と、
自装置の現在位置を判別する現在位置判別手段と、所定のデータを収容するファイルを自装置内に格納するファイル格納手段と、このファイル格納手段に格納したファイルのいずれかを指定して自装置以外の他の場所に転送する指示があったとき前記現在位置判別手段によって現在位置を判別する転送時現在位置判別手段と、前記ファイル格納手段に格納したファイルを前記他の場所に転送する際の無線中継の候補となる無線アクセスポイントのそれぞれの存在する位置を格納した無線アクセスポイント位置情報テーブルと、この無線アクセスポイント位置情報テーブルに格納された無線アクセスポイントのそれぞれの位置と前記転送時現在位置判別手段の判別した現在位置を比較して、これらの距離が前記現在位置から無線による通信可能な予め定めた範囲内にある無線アクセスポイントを抽出する無線アクセスポイント抽出手段と、この無線アクセスポイント抽出手段によって抽出した無線アクセスポイントのいずれかを用いて前記転送する指示があったファイルを無線で転送する無線送信手段と、前記所定の装置からデータを受信するデータ受信手段と、このデータ受信手段がデータを受信する時点で前記現在位置判別手段によって現在の位置を判別する受信時現在位置判別手段と、この受信時現在位置判別手段によって判別した受信時における現在位置を前記データ受信手段によって受信したデータを収容するファイルのヘッダに記録する現在位置ファイル記録手段とを備え、前記ファイル格納手段は前記現在位置ファイル記録手段の記録したファイルを格納するようにした情報処理装置
とを具備することを特徴とするデータ管理システム。
【０１０９】
（付記１４）
ファイルの読み出しあるいは書き込みの指示があったとき所定の現在位置判別手段を用いて自装置の現在位置を取得する現在位置取得ステップと、
この現在位置取得ステップで取得した現在位置が所定の位置情報登録手段に登録されている位置情報と予め定めた許容距離範囲で一致するかを判別する位置一致有無判別ステップと、
この位置一致有無判別ステップで一致すると判別したとき前記ファイルの読み出しあるいは書き込みの指示を有効として指示に応じた処理を実行する指示内容実行ステップ
とを具備することを特徴とするデータ管理方法。  
【０１１０】
（付記１５）
ファイルの転送の指示があったとき所定の現在位置判別手段を用いて自装置の現在位置を取得する現在位置取得ステップと、
この現在位置取得ステップで取得した現在位置が特定の無線アクセスポイントの位置として所定の位置情報登録手段に登録されている位置情報と予め定めた許容距離範囲で一致するかを判別する位置一致有無判別ステップと、
この位置一致有無判別ステップで一致すると判別したとき前記特定の無線アクセスポイントを用いて前記ファイルの転送の指示があったファイルを無線で転送する無線送信ステップ
とを具備することを特徴とするデータ管理方法。  
【０１１１】
（付記１６）
所定の装置からデータを受信するデータ受信ステップと、
このデータ受信ステップでデータを受信する時点で自装置の現在位置を判別する現在位置判別ステップと、
この受信時現在位置判別ステップによって判別した受信時における現在位置を前記データ受信ステップによって受信したデータを収容するファイルのヘッダに記録する現在位置ファイル記録ステップと、
この現在位置ファイル記録ステップによって現在位置を記録したファイルを所定のファイル格納手段に格納するファイル格納ステップと、
このファイル格納ステップで格納したファイルのいずれかについて読み出しの指示があったときの現在の位置を判別する読出時現在位置判別ステップと、
この読出時現在位置判別ステップによって判別した読出時における現在位置と読み出しの指示のあったファイルのヘッダに記録している受信時における現在位置が予め定めた許容距離範囲で一致するかを判別する位置一致有無判別ステップと、
この位置一致有無判別ステップで位置が一致すると判別したときのみ前記ファイルの読み出しを許可するファイル読出許可ステップ
とを具備することを特徴とするデータ管理方法。
【０１１２】
（付記１７）
所定のデータを収容するファイルを自装置内に格納するファイル格納手段に格納したファイルのいずれかを指定して自装置以外の他の場所に転送する指示があったとき現在位置を判別する転送時現在位置判別ステップと、
前記ファイル格納手段に格納したファイルを前記他の場所に転送する際の無線中継の候補となる無線アクセスポイントのそれぞれの存在する位置を格納した無線アクセスポイント位置情報テーブルに格納された無線アクセスポイントのそれぞれの位置と前記転送時現在位置判別ステップで判別した現在位置を比較する比較ステップと、
この比較ステップで比較した結果として無線アクセスポイントと現在位置の距離が前記現在位置から無線による通信可能な予め定めた範囲内にある無線アクセスポイントを抽出する無線アクセスポイント抽出ステップと、
この無線アクセスポイント抽出ステップによって抽出した無線アクセスポイントのいずれかを用いて前記転送する指示があったファイルを無線で転送する無線送信ステップ
とを具備することを特徴とするデータ管理方法。
【０１１３】
（付記１８）
コンピュータに、
ファイルの読み出しあるいは書き込みの指示があったとき所定の現在位置判別手段を用いて自装置の現在位置を取得する現在位置取得処理と、
この現在位置取得処理で取得した現在位置が所定の位置情報登録手段に登録されている位置情報と予め定めた許容距離範囲で一致するかを判別する位置一致有無判別処理と、
この位置一致有無判別処理で一致すると判別したとき前記ファイルの読み出しあるいは書き込みの指示を有効として指示に応じた処理を実行する指示内容実行処理
とを実行させることを特徴とするデータ管理プログラム。  
【０１１４】
（付記１９）
コンピュータに、
ファイルの転送の指示があったとき所定の現在位置判別手段を用いて自装置の現在位置を取得する現在位置取得処理と、
この現在位置取得処理で取得した現在位置が特定の無線アクセスポイントの位置として所定の位置情報登録手段に登録されている位置情報と予め定めた許容距離範囲で一致するかを判別する位置一致有無判別処理と、
この位置一致有無判別処理で一致すると判別したとき前記特定の無線アクセスポイントを用いて前記ファイルの転送の指示があったファイルを無線で転送する無線送信処理
とを実行させることを特徴とするデータ管理プログラム。  
【０１１５】
（付記２０）
コンピュータに、
所定の装置からデータを受信するデータ受信処理と、
このデータ受信処理でデータを受信する時点で自装置の現在位置を判別する現在位置判別処理と、
この受信時現在位置判別処理によって判別した受信時における現在位置を前記データ受信処理によって受信したデータを収容するファイルのヘッダに記録する現在位置ファイル記録処理と、
この現在位置ファイル記録処理によって現在位置を記録したファイルを所定のファイル格納手段に格納するファイル格納処理と、
このファイル格納処理で格納したファイルのいずれかについて読み出しの指示があったときの現在の位置を判別する読出時現在位置判別処理と、
この読出時現在位置判別処理によって判別した読出時における現在位置と読み出しの指示のあったファイルのヘッダに記録している受信時における現在位置が予め定めた許容距離範囲で一致するかを判別する位置一致有無判別処理と、
この位置一致有無判別処理で位置が一致すると判別したときのみ前記ファイルの読み出しを許可するファイル読出許可処理
とを実行させることを特徴とするデータ管理プログラム。
【０１１６】
（付記２１）
コンピュータに、
所定のデータを収容するファイルを自装置内に格納するファイル格納手段に格納したファイルのいずれかを指定して自装置以外の他の場所に転送する指示があったとき現在位置を判別する転送時現在位置判別処理と、
前記ファイル格納手段に格納したファイルを前記他の場所に転送する際の無線中継の候補となる無線アクセスポイントのそれぞれの存在する位置を格納した無線アクセスポイント位置情報テーブルに格納された無線アクセスポイントのそれぞれの位置と前記転送時現在位置判別処理で判別した現在位置を比較する比較処理と、
この比較処理で比較した結果として無線アクセスポイントと現在位置の距離が前記現在位置から無線による通信可能な予め定めた範囲内にある無線アクセスポイントを抽出する無線アクセスポイント抽出処理と、
この無線アクセスポイント抽出処理によって抽出した無線アクセスポイントのいずれかを用いて前記転送する指示があったファイルを無線で転送する無線送信処理
とを実行させることを特徴とするデータ管理プログラム。
【符号の説明】
【０１１７】
１１００、１２００、１３００、１４００、１５０２、１６０２、１０３、１０３Ａ  情報処理装置
１１０１、１２０１  位置情報登録手段
１１０２、１２０２、１３０１、１４０１、１５０２ａ、１６０２ａ  現在位置判別手段
１１０３、１２０３  現在位置取得手段
１１０４、１２０４  位置一致有無判別手段
１１０５  指示内容実行手段
１２０５  無線送信手段
１３０２、１５０２ｂ、１６０２ｇ  データ受信手段
１３０３、１５０２ｃ、１６０２ｈ  受信時現在位置判別手段
１３０４、１５０２ｄ、１６０２ｉ  現在位置ファイル記録手段
１３０５、１４０２、１５０２ｅ、１６０２ｂ  ファイル格納手段
１３０６、１５０２ｆ  読出時現在位置判別手段
１３０７、１５０２ｇ  位置一致有無判別手段
１３０８、１５０２ｈ  ファイル読出許可手段
１４０３、１６０２ｃ  転送時現在位置判別手段
１４０４、１６０２ｄ  無線アクセスポイント位置情報テーブル
１４０５、１６０２ｅ  無線アクセスポイント抽出手段
１４０６、１６０２ｆ  無線送信手段
１５００、１６００、１００、１００Ａ  データ管理システム
１５０１、１６０１  所定の装置
１７００、１８００  データ管理方法
１７０１  データ受信ステップ
１７０２  現在位置判別ステップ
１７０３  現在位置ファイル記録ステップ
１７０４  ファイル格納ステップ
１７０５  読出時現在位置判別ステップ
１７０６  位置一致有無判別ステップ
１７０７  ファイル読出許可ステップ
１８０１  転送時現在位置判別ステップ
１８０２  比較ステップ
１８０３  無線アクセスポイント抽出ステップ
１８０４  無線送信ステップ
１９００、２０００  データ管理プログラム
１９０１  データ受信処理
１９０２  現在位置判別処理
１９０３  現在位置ファイル記録処理
１９０４  ファイル格納処理
１９０５  読出時現在位置判別処理
１９０６  位置一致有無判別処理
１９０７  ファイル読出許可処理
２００１  転送時現在位置判別処理
２００２  比較処理
２００３  無線アクセスポイント抽出処理
２００４  無線送信処理
１０１  撮影装置
１０３、１０３Ａ、１１２  メモリ
１０５1  第１の転送先装置
１０５M  第Ｍの転送先装置
１０７  画像ファイル格納場所
１０８  ＧＰＳ衛星
１１１、１１１Ａ  ＭＰＵ
１１３  磁気センサ
１１４  ＧＰＳ部
１１５  無線部
１１６  切替スイッチ
１１７  無線接続先テーブル
１１８  保存ファイル領域
３１１  アクセス時位置情報格納部
３２１  比較手段
３２２  読出禁止手段
【図１】
2013114364.tif 000003
【図２】
2013114364.tif 000004
【図３】
2013114364.tif 000005
【図４】
2013114364.tif 000006
【図５】
2013114364.tif 000007
【図６】
2013114364.tif 000008
【図７】
2013114364.tif 000009
【図８】
2013114364.tif 000010
【図９】
2013114364.tif 000011
【図１０】
2013114364.tif 000012
【図１１】
2013114364.tif 000013
【図１２】
2013114364.tif 000014
【図１３】
2013114364.tif 000015
【図１４】
2013114364.tif 000016
【図１５】
2013114364.tif 000017
【図１６】
2013114364.tif 000018
【図１７】
2013114364.tif 000019
【図１８】
2013114364.tif 000020